(57)【要約】      （修正有）【課題】骨盤の歪みを治すために、骨盤の全体または一部を締付けることなく、圧迫感や動き難さを感じることがない、体に密着させて着用する下部肌着を提供する。【解決手段】下部肌着１は着用時に、右恥骨近傍１０、右上前腸骨棘近傍１１、仙骨近傍１２、左上前腸骨棘近傍１３、左恥骨近傍１４、の順に通過する締付バンド（パワーテープ８）を設けたことにより、腹部２を圧迫せずに骨盤を締付けて、骨盤の歪みなどを徐々に正すことができる。【選択図】図１
2010172706.tif 000002
【特許請求の範囲】
【請求項１】
体に密着させて着用する下部肌着において、
前記下部肌着の股部に、交差する紐状のパワーテープを設け、
交差する前記パワーテープの一方は左恥骨近傍から始まり右坐骨近傍で終わり、且つ他方は右恥骨近傍から始まり左坐骨近傍で終わるように形成され、
前記下部肌着の前側を上方にして平面上に置いた場合、前記パワーテープが前記下部肌着の前側で交差していることを特徴とする下部肌着。
【請求項２】
体に密着させて着用する下部肌着において、
前記下部肌着の股部に、前後方向に略平行に紐状のパワーテープを設け、
略平行の前記パワーテープの一方は右恥骨近傍から始まり右坐骨近傍で終わり、且つ他方は左恥骨近傍から始まり左坐骨近傍で終わるように形成され、
前記下部肌着の前側を上方にして平面上に置いた場合、前記パワーテープを前記下部肌着の前側で略平行に設けたことを特徴とする下部肌着。
【請求項３】
前記下部肌着は腹部と股部とを前結合部で結合され、
前記下部肌着は股部と臀部とを後結合部で結合され、
前記前結合部と前記後結合部との間に前記パワーテープを設けた請求項１または２に記載の下部肌着。
【発明の詳細な説明】
【技術分野】
【０００１】
本願発明は、骨盤の開きを戻すためのパワーテープを有する下部肌着に関する。
【背景技術】
【０００２】
従来、加齢や生活習慣、また無理な姿勢で長時間作業を行うことなどにより、体の歪みが発生し、体調不良等を引起すことがしばしばあった。そのうち、骨盤の歪みによって体調不良、腰痛、背骨の歪みや肥満などを引起す割合がかなりある。この骨盤の歪みを治すために、一般的に弾性力（ストレッチ力）の強い部材を用いて、臀部から腹部にわたる部分を締付けている。この骨盤の歪みを正すためのサポーターや下着類は数多く考案されており、カードル等の臀部から腹部にかけて締付けて歪みを正すタイプ（例えば、特許文献１参照。）や、パンツの腰部近傍の骨盤をバンド等で締付けるタイプ（例えば、特許文献２参照。）や、腹部及び大腿骨の大転子部を締付けるタイプのものが既に考案されている（例えば、特許文献３参照。）。
【特許文献１】特開２００２−２６３１２７号  公報
【特許文献２】実用新案登録第３００６６４２号  公報
【特許文献３】特開平６−７３９４号  公報
【発明の開示】
【発明が解決しようとする課題】
【０００３】
しかしながら、骨盤の全体または一部を締付けるために、腹部、臀部、大腿骨の大転子部も同時に締付けることになり、必要以上に圧迫感や動き難さを感じることがよくあった。この圧迫感や動き難さを低減させるための下部肌着を提供することを目的としている。
【課題を解決するための手段】
【０００４】
上記課題を解決するため、本願発明の下部肌着は、体に密着させて着用する下部肌着において、前記下部肌着の仙骨近傍から前記下部肌着に沿って前方の腹部近傍までパワーテープを設け、前記パワーテープを前記腹部近傍から前記下部肌着に沿って左右恥骨近傍まで設けたことにより、腹部を圧迫せずに骨盤を締付けて、骨盤の歪みなどを徐々に正すことができる。
【０００５】
また、体に密着させて着用する下部肌着において、前記下部肌着の、右恥骨近傍、右上前腸骨棘近傍、仙骨近傍、左上前腸骨棘近傍、左恥骨近傍、の順に通過するパワーテープを設けたことにより、腹部をさらに圧迫せずに骨盤を締付けて、骨盤の歪みなどを徐々に正すことができる。  
【０００６】
また、体に密着させて着用する下部肌着において、前記下部肌着の、右坐骨近傍、右恥骨近傍、右上前腸骨棘近傍、仙骨近傍、左上前腸骨棘近傍、左恥骨近傍、左坐骨近傍の順に通過するパワーテープを設けたことにより、締付ける力が大きくなり、腹部を圧迫せずに骨盤をさらに締付けて、骨盤の歪みなどを徐々に正すことができる。
【０００７】
また、体に密着させて着用する下部肌着において、前記下部肌着の、左坐骨近傍、右恥骨近傍、右上前腸骨棘近傍、仙骨近傍、左上前腸骨棘近傍、左恥骨近傍、右坐骨近傍の順に通過するパワーテープを設けたことにより、腹部を圧迫せず体に対する最小限の締付力で骨盤を締付けて、骨盤の歪みなどを徐々に正すことができるのと共に、パワーテープが交差する股部で、骨盤を構成している弱体化した筋肉群を支えることによって骨盤を正常な状態に正すことができる。
【０００８】
また、前記下部肌着の後方上側及び左右両脇上側に、腰部に安定させるための第２部材を設け、
前記第２部材に連なって前方側に、腹部に負担がかからないような弾性力の弱い材質で略Ｔ字状に形成された第１部材を設け、前記第１部材及び前記第２部材に前記パワーテープを設けたことにより、締付力を腰部で安定して支えることができるのと共に、腹部を圧迫せず、窮屈感を緩和させることができる。
【０００９】
また、前記第１部材の弾性力が前記第２部材の弾性力より弱くなるように形成されたことにより、さらに腹部の窮屈感を緩和させることができる。
【００１０】
また、体に密着させて着用する下部肌着において、前記下部肌着の左恥骨近傍から右坐骨近傍、及びこれと交差するように右恥骨近傍から左坐骨近傍の部分にパワーテープを設けたことにより、少ない締付力で骨盤を正常な状態に正すことができる。
【００１１】
また、体に密着させて着用する下部肌着において、前記下部肌着の股部にパワーテープを設け、前記下部肌着の前側を上方にして平面上に置いた場合、前記パワーテープが前記下部肌着の前側で交差するようにしてもよい。
【００１２】
また、前記下部肌着の左恥骨近傍から右坐骨近傍、及びこれと交差するように右恥骨近傍から左坐骨近傍の部分にパワーテープを設けるようにしてもよい。
【００１３】
また、体に密着させて着用する下部肌着において、前記下部肌着の股部にパワーテープを設け、前記下部肌着の前側を上方にして平面上に置いた場合、前記パワーテープが前記下部肌着の前側で一定の距離を隔てて左右にパワーテープを設けるようにしてもよい。
【００１４】
また、前記下部肌着の左恥骨近傍から左坐骨近傍、及びこれと一定の距離を隔てるように右恥骨近傍から右坐骨近傍の部分にパワーテープを設けるようにしてもよい。
【００１５】
また、前記下部肌着は腹部と股部とを前結合部で結合され、前記下部肌着は股部と臀部とを後結合部で結合され、前記前結合部と前記後結合部との間に前記パワーテープを設けるようにしてもよい。
【発明の効果】
【００１６】
本願発明の下部肌着を通常の下部肌着と同じように穿くだけで、圧迫感をあまり感じることなく骨盤の歪みを正すことができるので、体調不良、腰痛や肥満なども徐々に改善される。また、骨盤が歪むことの防止にもつながる。
【発明を実施するための最良の形態】
【００１７】
本願発明の一実施形態を、図面を参照しつつ説明する。
【００１８】
図１は、本願発明の下部肌着の構成を示す図であり、（ａ）は正面図、（ｂ）は後面図である。
【００１９】
図１（ａ）（ｂ）に示すように、下部肌着１は性質（素材の特性）の異なる部材を用いて構成されており、腹部２近傍の略逆三角形部及び股部（股マチ部）３近傍には第１部材４が用いられている。また、この第１部材４に連なって脇部５にかけて第２部材６が用いられており、この第１部材４及び第２部材６以外の部分には第３部材７が用いられている。そして、第１部材４は主に腹部２に用いられているため、腹部２に圧迫感を与えないように伸縮性があり弾性力の小さい素材が用いられている。一方、第２部材６は第１部材４にかかる力を仙骨近傍１２から左右上前腸骨棘近傍１３、１１で支えることが必要であるので、伸縮性があり弾性力の大きい素材が用いられている。ここで、弾性力の大きさは第２部材６＞第１部材４≧第３部材７のように構成されており、骨盤全体を仙骨近傍１２から左右上前腸骨棘近傍１３、１１まで支える第２部材６が最も大きく、よく動く部分の第３部材７が最も小さくなっている。この第１部材４、第２部材６の下端（第１部材４及び第２部材６と、第３部材７との境界部）には締付力を有する伸縮素材のパワーテープ８が設けられており、骨盤３９を前方内側に包み込むような力が作用するようになっている。
【００２０】
図２は、下部肌着の着用時の図であり、（ａ）は右側斜視図、（ｂ）は正面図である。
【００２１】
図２に示すように、下部肌着１にはパワーテープ８が設けられており、このパワーテープ８は順に左坐骨近傍９→右恥骨近傍１０→右上前腸骨棘近傍１１→仙骨近傍１２→左上前腸骨棘近傍１３→左恥骨近傍１４→右坐骨近傍１５を通るように設けられている。このパワーテープ８の形成されている締付ライン（以下、「ペルビスライン」という）は、体の変化（食事をしたときの腹部２の膨張等の変化）や、運動による脚部１６の動きの妨げにならないところを通過するように設けられており、下部肌着１から体に与える締付力をできるだけ小さくなるように形成されている。また、このパワーテープ８は、下部肌着１を穿いた状態で股部３のところで交差するように形成されているため、骨盤３９の下側を体の前方内側に向かって寄せる力が働くようになっている。そして、骨盤３９の上側では、ペルビスライン上のパワーテープ８により、骨盤３９の上側を体の前方内側に向かって寄せられるようになっている。この締付ける力の作用方向（パワーテープの縮む方向）を矢印で示すと、ペルビスラインに沿ってパワーテープ８が仙骨近傍１２では前方に作用し、右上前腸骨棘近傍１１及び左上前腸骨棘近傍１３では下方に作用し、右恥骨近傍１０及び左恥骨近傍１４では上方に作用し、右坐骨近傍１５及び左坐骨近傍９では交差するように前方に作用する。
【００２２】
この力の作用により、骨盤３９は臀部１７近傍の第３部材７から包み込むようにほぼ均等な力が前方に加えられることになるため、図２（ｂ）に示すように、骨盤３９の上側にある右上前腸骨棘１８及び左上前腸骨棘１９が、右恥骨２０と左恥骨２１との間にある恥骨結合２２に向かって矢印のように力が加えられると共に、右坐骨２３及び左坐骨２４も恥骨結合２２に向かって矢印のように力が加えられるので、骨盤３９にズレ（仙骨２５と左右腸骨４２、４１とのズレ及び左右恥骨２１、２０のズレ）などがある場合はこのズレを正す作用があり、骨盤３９にズレなどがない場合でもズレを防止する作用がある。この作用により、長時間無理な姿勢をしたこと等から生じる骨盤３９の歪みが徐々になくなり、腰痛や体調不良などが緩和されるようになる。
【００２３】
また、このパワーテープ８の股部３の締付ラインを平行にして順に右坐骨近傍１５→右恥骨近傍１０→右上前腸骨棘近傍１１→仙骨近傍１２→左上前腸骨棘近傍１３→左恥骨近傍１４→左坐骨近傍９を通るように設ける（図示せず）ことにより、体の股部３がパワーテープ８から受ける締付力を緩和させることもできる。
【００２４】
上記構成の下部肌着１の前側では、上記のように上下方向に力が加わるため、運動などによって下部肌着１がズレることがある。このズレを防止するために、体の変化（膨張、収縮）の少ない、仙骨近傍１２と左上前腸骨棘近傍１３との間及び仙骨近傍１２と右上前腸骨棘近傍１１との間、に設けられた第２部材６でパワーテープ８の力を支えることにより、安定した位置で骨盤３９に均等な力を加えることができる。
【００２５】
図３は、本願発明の下部肌着の他の実施形態を示した各部材の分解斜視図である。
【００２６】
図３に示すように、下部肌着１に性質の異なる部材を用いて、それらを縫い合わせ、縫い重ねたりすることにより、下部肌着１の着用時の締付力を変えることもできる。下部肌着の臀部１７及び足口部２６近傍の運動領域においては、歩行時や運動時に脚部の運動の妨げにならないように、動きやすい素材（第３部材）のみで形成されたベース部材２７で構成されている。このベース部材２７は前側部材２８、右側部材２９、左側部材３０から形成され、それぞれ同じ性質の第３部材でつくられている。そして、このベース部材２７の上から縫い重ねるように、前側部材２８の略中心部前側には前側補強部材３１が形成され、右側部材２９の上端の全体に右側補強部材３２が形成され、左側部材３０の上端の全体に左側補強部材３３が形成されている。この前側補強部材３１、左側補強部材３３、右側補強部材３２はそれぞれ上記パワーテープ８を有する構成になっている。このパワーテープ８は、前側補強部材３１ではその左右端部３４、３５に設けられ、左側補強部材３３及び右側補強部材３２ではその下端部３６、３７に設けられている。このような構成により、この前側補強部材３１、左側補強部材３３、右側補強部材３２の部材の性質を替えるだけで着用する人に合った締付力にすることができる。
【００２７】
図４は、本願発明の下部肌着の他の実施形態を示した図であり、（ａ）は正面図、（ｂ）は後面図である。
【００２８】
図４（ａ）に示すように、上端が左右上前腸骨棘近傍１３、１１に位置する下部肌着１では、腰部近傍のパワーテープ８が下部肌着１の上端と同じ位置に形成されており、左右上前腸骨棘近傍１３、１１から仙骨近傍１２に至る前記第２部材６（図１参照）がないような構成になっている。この構成は図２に示されているような仙骨近傍１２に第２部材６を有する下部肌着１と比べると、腰部（仙骨近傍１２及び左右上前腸骨棘近傍１３、１１）でパワーテープ８の締付力を支えられないので、パワーテープ８の締付力が小さくなるが、パワーテープ８がペルビスラインを通過しているため、骨盤３９の上側及び下側を体の前方内側に締付ける力が働き、図２に示す下部肌着１と同様な作用を出すことができる。
【００２９】
図５は、本願発明の下部肌着の他の実施形態である男性用のものを示した図であり、（ａ）は正面図、（ｂ）は後面図である。
【００３０】
図５（ａ）に示すように、下部肌着１は上記第１部材４と、第２部材６と、第３部材７とを有する構成になっており、腹部２近傍の略Ｔ字部及び股部３近傍には第１部材４が用いられている。また、図１（ｂ）に示すように、この第１部材に連なって脇部５にかけて第２部材が用いられている。そして、この第１部材及び第２部材以外の部分には第３部材が用いられている。また、この第１部材の略Ｔ字部の部分は男性の陰部が収納できるように立体的に形成されている。そして、パワーテープ８を第１部材及び第２部材に設けていることにより、骨盤３９の下側を体の前方内側に向かって締付ける力が働くように構成されていると共に、骨盤３９の上側も体の前方内側に締付ける力が働くようになっている。
【００３１】
図６は、図５の第２部材６がない下部肌着を示した図であり、（ａ）は正面図、（ｂ）は後面図である。
【００３２】
図６（ａ）に示すように、図５の下部肌着１の第２部材をなくしたものに、パワーテープ８を設けている。このとき、パワーテープ８はペルビスラインを通過するように形成されているので、骨盤３９の上側及び下側を体の前方内側に締付ける力が働くようになる。ここで、このペルビスラインは、左右上前腸骨棘近傍１３、１１から体の中心に向かっているため、図５のものに比べると、腹部近傍で締付力が増加するようになっているが、パワーテープ８が腹部（左上前腸骨棘近傍１３と右上前腸骨棘近傍１１との間）で連設されていない非連設部４０を有しているので、腹部が変化（膨張収縮など）した場合、この非連設部４０がその変化を吸収し腹部の窮屈感を低減させることができるようになっている。
図７は、図１のパワーテープを股部のみに交差するようにＸ字状に設けた他の実施形態を示す図であり、（ａ）は正面図、（ｂ）は後面図である。図８は、図１の股部のみに一定の距離を隔てて左右にパワーテープを設けた他の実施形態を示す図であり、（ａ）は正面図、（ｂ）は後面図である。
【００３３】
図７（ａ）（ｂ）に示すように、下部肌着１の前側を上方にして平面上に置いた場合、パワーテープ８が下部肌着１の前側で交差しており、この下部肌着１は、腹部２と股部３とを前結合部６０で結合され、股部と臀部とを後結合部６１で結合され、下部肌着の左恥骨近傍１４から右坐骨近傍１５、及びこれと交差するように右恥骨近傍１０から左坐骨近傍９の部分にパワーテープ８が設けられている。股部３のみにパワーテープ８を用いた場合、図１の腰部までパワーテープ８を設けたものと比べると、骨盤３９を包み込む締付力は小さくなる。しかしながら、既に売られている下部肌着に比べると、股部３にパワーテープ８が設けられていることにより、パワーテープ８が下部肌着１の前側と後側の部材を引寄せ、骨盤３９を包み込む締付力を増加させ（図２参照）、骨盤を正常な状態に戻すことができると共に、パワーテープ８によって加齢とともに下垂する内臓や筋肉を骨盤３９の位置で支えることにより、筋肉や臓器の下垂を防止しあるいは改善し、体を正常な状態に戻すことができる。また、このパワーテープは図１と同様、股部で交差しており、この交差する位置が体の経穴（ツボ）と重なるように設けられていることにより、歪みの無い正常な骨盤の状態に戻すことができるだけでなく、交差した部分またはその近傍が経穴を刺激して体（体調）を正常な状態に戻すことができる。
【００３４】
また、図８（ａ）（ｂ）に示すように、股部のみに一定の距離を隔てて左右にパワーテープ８を設け、また、好ましくは図８（ａ）に示すように中央付近を接近させてパワーテープ８を設けるようにすると、図７に示すようなＸ字状に設けられたパワーテープ８に比べれば骨盤の締付力は弱くなるが、一般の下部肌着に比べると締付力は強くなる。そして、パワーテープ８が経穴近傍に設けられていることにより、歪みの無い正常な骨盤の状態に戻すことができるだけでなく、経穴近傍を刺激して体（体調）を正常な状態に戻すことができる。
【００３５】
図９は、人の股部とパワーテープとの位置関係を示した図であり、（ａ）は男性、（ｂ）は女性を示した図である。
【００３６】
図９（ａ）（ｂ）に示すように、パワーテープ８が交差するところの近傍にある経穴には、陰嚢５５または大陰唇５６と肛門５７との間に、会陰５０、陰嚢下横紋５１、嚢底５２、窈漏５３、玉門頭５４などがあり、パワーテープ８がこの経穴または経穴近傍を刺激することにより、血流やリンパの流れがよくなり下半身の冷え、足のむくみ、腰痛などの症状が改善され、人によっては体の歪みや肥満なども改善される。また、図９（ａ）（ｂ）に示されているパワーテープ８は、陰嚢下横紋５１または窈漏５３から肛門５７の間で、交差または接近し、好ましくは図示するように会陰５０近傍で交差または接近し、その位置からＸ字状または一定の距離を隔てるように図面上下方向に離れていくように設けられている。しかしながら、下部肌着の着用時には左右の大腿部５８が互いに接近し下部肌着の股部３が内側に寄せられることにより、パワーテープ８は会陰５０、陰嚢下横紋５１、嚢底５２、窈漏５３、玉門頭５４により近づき、これらの経穴をなお一層刺激し易くなるようになっている。
【００３７】
上記構成により、上記下部肌着は、穿いたときに右恥骨近傍と左坐骨近傍とを結ぶペルビスラインと、左恥骨近傍と右坐骨近傍とを結ぶペルビスラインとが、女性の場合肛門と外尿道口の間、男性の場合肛門と陰嚢下の間で交わるように設けられ、その交差している股部の位置で骨盤を構成している弱体化した筋肉群を支えることができるので、より少ない締付力で骨盤を正常な状態に正すことができ、その作用によって体調不良等が改善される。また、各部材を切替えるのではなく、編立て（編地の変化や編糸の種類）を変えて形成することにより、同様な効果を得ることもできる。また、パワーテープ８にはストレッチゴムやストレッチ性のあるテープなど弾性力の強いテープ状の付属素材を使用するが、この付属素材を使用しない場合はストレッチ性のある糸を使い３本針飾り振り始末などの縫製上の始末でも代用することができる。
【００３８】
上記下部肌着はズボン、スカート等の外衣の下にはく下着（パンツ、ショーツ等）に限られるものではなく、体に密着させてきるトレーニングウェアーや水着など（上下一体物のウェアーを含む）にも用いることができる。
【産業上の利用可能性】
【００３９】
パンツ、ガードル、トレーニングウェアーや水着などの体に密着させた衣類に利用することができる。
【図面の簡単な説明】
【００４０】
【図１】本願発明の下部肌着の構成を示す図であり、（ａ）は正面図、（ｂ）は後面図である。
【図２】下部肌着の着用時の図であり、（ａ）は右斜視図、（ｂ）は正面図である。
【図３】本願発明の下部肌着の他の実施形態を示した各部材の分解斜視図である。
【図４】本願発明の下部肌着の他の実施形態を示した図であり、（ａ）は正面図、（ｂ）は後面図である。
【図５】本願発明の下部肌着の他の実施形態である男性用のものを示した図であり、（ａ）は正面図、（ｂ）は後面図である。
【図６】図５の第２部材がない下部肌着を示した図であり、（ａ）は正面図、（ｂ）は後面図である。
【図７】図１のパワーテープを股部のみに設けた他の実施形態を示した図であり、（ａ）は正面図、（ｂ）は後面図である。
【図８】図１の股部のみに一定の距離を隔てて左右にパワーテープを設けた他の実施形態を示す図であり、（ａ）は正面図、（ｂ）は後面図である。
【図９】人の股部とパワーテープとの位置関係を示した図であり、（ａ）は男性、（ｂ）は女性を示した図である。
【符号の説明】
【００４１】
１  下部肌着
２  腹部
３  股部
４  第１部材
５  脇部
６  第２部材
７  第３部材
８  パワーテープ
９  左坐骨近傍
１０  右恥骨近傍
１１  右上前腸骨棘近傍
１２  仙骨近傍
１３  左上前腸骨棘近傍
１４  左恥骨近傍
１５  右坐骨近傍
１６  脚部
１７  臀部
１８  右上前腸骨棘
１９  左上前腸骨棘
２０  右恥骨
２１  左恥骨
２２  恥骨結合
２３  右坐骨
２４  左坐骨
２５  仙骨
３９  骨盤
４０  非連結部
４１  右腸骨
４２  左腸骨
５０  会陰
５５  陰嚢
５６  大陰唇
５７  肛門
６０  前結合部
６１  後結合部
【図１】
2010172706.tif 000003
【図２】
2010172706.tif 000004
【図３】
2010172706.tif 000005
【図４】
2010172706.tif 000006
【図５】
2010172706.tif 000007
【図６】
2010172706.tif 000008
【図７】
2010172706.tif 000009
【図８】
2010172706.tif 000010
【図９】
2010172706.tif 000011